(57)【要約】【課題】建造物表面の緑化のために当該表面上に設置される緑化ユニット並びにそれに用いられる緑化マットであって、材料コスト及び製造コストが安価であって、効率的な水分供給可能であり、かつ軽量で取扱い易いものを提供する。【解決手段】緑化ユニットが、建造物表面の緑化のために該建造物表面上に設置される緑化ユニットにおいて、上下方向に複数積み重ねた緑化マットと、複数積み重ねた緑化マットを収容しかつ植栽面側に開口をもつ収容部並びに建造物表面への取付部を具備する筐体とを有する。【選択図】  図１
2004283070.tif 000002
【特許請求の範囲】
【請求項１】
複数の透水性薄膜を積層してなる高透水材層と、該高透水材層の上下両面にそれぞれ重ねられた低透水材層とを有することを特徴とする緑化マット。
【請求項２】
前記透水性薄膜が繊維材にて形成されることを特徴とする請求項１に記載の緑化マット。
【請求項３】
前記透水性薄膜の膜面内で前記繊維材が一方向に配向していることを特徴とする請求項２に記載の緑化マット。
【請求項４】
前記繊維材が廃繊維であることを特徴とする請求項２又は３に記載の緑化マット。
【請求項５】
前記低透水材層の各々に通水孔が設けられ、一方の該通水孔と他方の該通水孔が上下方向において異なる位置に設けられることを特徴とする請求項１〜４のいずれかに記載の緑化マット。
【請求項６】
建造物表面の緑化のために該建造物表面上に設置される緑化ユニットにおいて、
上下方向に複数積み重ねた請求項１〜４のいずれかに記載の緑化マットと、
前記複数積み重ねた緑化マットを収容しかつ植栽面側に開口をもつ収容部並びに前記建造物表面への取付部を具備する筐体とを有することを特徴とする
緑化ユニット。
【請求項７】
建造物表面の緑化のために該建造物表面上に設置される緑化ユニットにおいて、
上下方向に複数積み重ねた請求項５に記載の緑化マットと、
前記複数積み重ねた緑化マットを収容しかつ植栽面側に開口をもつ収容部並びに前記建造物表面への取付部を具備する筐体とを有し、
互いに隣接する緑化マットの各々の前記通水孔が上下方向において同位置となるべく前記緑化マットを積み重ねたことを特徴とする
緑化ユニット。
【請求項８】
前記筐体の少なくとも上面板、側面板及び底面板に複数の連通孔を穿設したことを特徴とする請求項６又は７に記載の緑化ユニット。
【請求項９】
建造物表面の緑化工法において、
請求項１〜５のいずれかに記載の緑化マットを形成するステップと、
前記緑化マットにポット苗挿入用の切欠きを設けるステップと、
前記緑化マットの収容部と前記建造物表面への取付部とを具備する筐体に前記緑化マットを複数積み重ねて収容するステップと、
前記緑化マットの前記切欠きへポット苗を挿入するステップと、
前記取付部により前記筐体を前記建造物表面へ取り付けるステップとを有することを特徴とする
建造物表面の緑化工法。
【発明の詳細な説明】
【０００１】
【発明の属する技術分野】
本発明は、建造物の表面、例えば垂直面、水平面又は傾斜面の緑化のために当該表面上に設置される緑化ユニット並びにその緑化ユニットに用いられる緑化マットに関する。
【０００２】
【従来の技術】
ビルディング、家屋、境界壁、防音壁、塀、堤防、ダム、橋梁、トンネル入口等の壁面、屋上若しくは屋根等、コンクリートや鉄筋等により建造された人工的な種々の建造物の表面を緑化することにより、美観を改善すると共に空気を清浄化し、より良い環境を実現しようとする要請が、近年益々高まりつつある。
【０００３】
従来、このような緑化のために、壁面等に苗木を植栽するための緑化用構造物が提示されている。斯かる緑化用構造物は、苗木を壁面等へ固定するための機能と、苗木を育成するための植生基盤としての機能とを兼ね備えている。特許文献１に記載の緑化パネルは、板状の多孔性ブロック本体にポット苗を収容する凹部と、植物根系が伸長するように土壌を充填する横方向の貫通孔とを穿設したものである。特許文献１の緑化パネルは、多孔性コンクリートやレンガ等を本体とするので、植生基盤に比べて重量があり、加工が必要であるため、取扱性及び製造コストが問題となる。
【０００４】
特許文献２に記載の緑化用植栽基盤は、乾燥ピートモスを立体的繊維状物、例えば直方体ブロックに形成したものである。このピートモスブロックに、例えば孔を穿設してポット苗を収納し、多数のピートモスブロックを壁面等に沿って積み上げて網等で固定する。特許文献３は、特許文献２に記載のピートモスブロックを縦横に複数配設した状態で保持材にて固定した緑化用植生基盤を開示する。
【０００５】
【特許文献１】
特開２０００−１４４７５０号公報
【特許文献２】
特開２００２−１２９５８７号公報
【特許文献３】
特開２００２−３３５７５２号公報
【０００６】
【発明が解決しようとする課題】
特許文献２及び３のピートモスブロックは、コンクリート製ブロックや土壌プランタに比べて軽量であり取扱いが容易である。また、立体的繊維状物に形成されているため上下方向及び横方向にも透水性がよく、基盤全体に水分を供給することができ、緑化用基盤全体に植物混系を張らせることができる。
【０００７】
しかしながら、ピートモスは天然素材であり、また乾燥させるために長期間を要するため、必ずしも材料の供給が安定しておらず、コストが高いという問題がある。
【０００８】
また、特許文献２及び３に記載のピートモスブロックでは、透水性がいずれの方向にも均等であるため、上下方向の水分の移動が優勢となり、横方向への水分の拡散が不十分となる場合がある。また、３次元的に繊維が絡み合っているため、透水速度の点では必ずしも速やかではない。特に、大面積の壁面緑化に適用する場合には、全体に速やかにかつ均一に水分を供給する必要がある。特許文献２及び３に記載のピートモスブロックでは、透水速度が不十分である。
【０００９】
以上の現状に鑑み、本発明は、建造物表面、例えば垂直面、水平面又は傾斜面の緑化のために当該表面上に設置される緑化ユニット並びにその緑化ユニットに用いられる緑化マットであって、材料コスト及び製造コストが安価であって、効率的な水分供給可能であり、かつ軽量で取扱い易いものを提供することを目的とする。また、斯かる緑化マット及び緑化ユニットを用いた建造物表面の緑化工法を提供することを目的とする。
【００１０】
【課題を解決するための手段】
上記の目的を達成すべく本発明は、以下の各構成を提供する。
（１）請求項１に係る緑化マットは、複数の透水性薄膜を積層してなる高透水材層と、該高透水材層の上下両面にそれぞれ重ねられた低透水材層とを有する。
（２）請求項２に係る緑化マットは、請求項１に記載の緑化マットにおいて、前記透水性薄膜が繊維材にて形成されることが好適である。
（３）請求項３に係る緑化マットは、請求項２に記載の緑化マットにおいて、前記透水性薄膜の膜面内で前記繊維材が一方向に配向していることが好適である。
（４）請求項４に係る緑化マットは、請求項２又は３に記載の緑化マットにおいて、前記繊維材が廃繊維であることが好適である。
（５）請求項５に係る緑化マットは、請求項１〜４のいずれかに記載の緑化マットにおいて、前記低透水材層の各々に通水孔が設けられ、一方の該通水孔と他方の該通水孔が上下方向において異なる位置に設けられることが好適である。
（６）請求項６に係る緑化ユニットは、建造物表面の緑化のために該建造物表面上に設置される緑化ユニットにおいて、上下方向に複数積み重ねた請求項１〜４のいずれかに記載の緑化マットと、前記複数積み重ねた緑化マットを収容しかつ植栽面側に開口をもつ収容部並びに前記建造物表面への取付部を具備する筐体とを有する。
（７）請求項７に係る緑化ユニットは、建造物表面の緑化のために該建造物表面上に設置される緑化ユニットにおいて、上下方向に複数積み重ねた請求項５に記載の緑化マットと、前記複数積み重ねた緑化マットを収容しかつ植栽面側に開口をもつ収容部並びに前記建造物表面への取付部を具備する筐体とを有し、互いに隣接する緑化マットの各々の前記通水孔が上下方向において同位置となるべく前記緑化マットを積み重ねている。
（８）請求項８に係る緑化ユニットは、請求項（６）又は（７）において、前記筐体の少なくとも上面板、側面板及び底面板に複数の連通孔を穿設することが好適である。
（９）請求項９に係る建造物表面の緑化工法は、請求項１〜５のいずれかに記載の緑化マットを形成するステップと、前記緑化マットにポット苗挿入用の切欠きを設けるステップと、前記緑化マットの収容部と前記建造物表面への取付部とを具備する筐体に前記緑化マットを複数積み重ねて収容するステップと、前記緑化マットの前記切欠きへポット苗を挿入するステップと、前記取付部により前記筐体を前記建造物表面へ取り付けるステップとを有する。
【００１１】
【発明の実施の形態】
以下、図面を参照しつつ、本発明の実施の形態について説明する。本発明による緑化マット及びこれを組み込んだ緑化ユニット並びに緑化工法の対象となる建造物表面は、ビルディング、家屋、境界壁、防音壁、塀、堤防、ダム、橋梁、トンネル入口等における壁面、屋上若しくは屋根等であって、コンクリートや鉄筋等により建造された人工的な種々の建造物の表面であり、特に限定されない。また、必ずしも屋外とは限らず、目的とする植物の生育が可能であれば屋内の壁面等も対象となる。
【００１２】
尚、本発明の緑化マット及びこれを組み込んだ緑化ユニットの構造的特徴から、垂直面や傾斜面へ適用することが好適であるが、水平面に適用することもできる。
【００１３】
図１は、本発明による緑化ユニット１０の外観斜視図である。緑化ユニット１０は、ほぼ箱型の筐体１２と、この筐体１２の収容部に収容される複数の緑化マット２０とから構成される。複数（図示の例では９枚）の緑化マット２０は、上下方向に積み重ねられて筐体１２内に収容されている。積み重ねられた緑化マット２０の下から２段目、５断面及び８段目には、それぞれ３個ずつポット苗３０が挿入されている。ポット苗３０は、自然分解フィルムで用土と苗を巻き包んだサブストレートポットが活着率がよく好適であり、ポットの直径は、例えば２０ｍｍ〜５０ｍｍ程度である。
【００１４】
図中、ポット苗３０の突出している筐体１２の前面が植栽面側であり、この植栽面側は一部の柵を除きほとんど開口となっている。図に表れていない筐体１２の背面が壁面等への取付面側であり、その上端に壁面等の建造物表面への取付部１３が設けられている。図示の例では、取付部１３にボルト孔が設けられており、別途用意するボルト等の固定具を用いて建造物表面へ緑化ユニット１０を取付固定することができる。従って、図１では、建造物の垂直面への取付姿勢を示していることになる。
【００１５】
各緑化マット２０は、ポット苗３０の植栽基盤としての役割を果たしており、ポット苗３０の生長と共に、その根系が、積み重ねられた緑化マット２０全体に張り巡らされる。さらに、筐体１２の少なくとも上面板、側面板及び底面板には、多数の連通孔１４が貫通して穿設されている。これらの連通孔１４は、複数の緑化ユニット１０が縦横に配列して壁面上に取り付けられるとき、隣接する緑化ユニット１０同士のそれぞれの連通孔１４の位置が一致するように設けられている。これにより、ポット苗３０の根系は連通孔を通して隣接する緑化ユニット１０まで伸長することができる。この結果、ポット苗３０の根系の生育が１個の緑化ユニット１０内に限定されることなく、広範に伸長することができる上に、配列した複数の緑化ユニット１０同士の結合強度も強化される。
【００１６】
図２は、本発明による緑化マット２０の外観斜視図を示す。（Ａ）は、製造後の緑化マット２０を示し、（Ｂ）は、製造後にポット苗挿入用の切欠き２４を３箇所に設けた緑化マット２０を示している。１枚の緑化マット２０の寸法の一例は、幅３００ｍｍ、奥行き８０ｍｍ及び厚さ２０ｍｍである。本発明による緑化マット２０は、高透水材層２１と、高透水材層２１の上下両面にそれぞれ重ねられた低透水材層２２ａ、２２ｂとから形成される。高透水材層２１は低透水材層２２ａ、２２ｂに比べて水分を通し易いように、すなわち透水性が高くなるように作製される。
【００１７】
高透水材層２１及び低透水材層２２ａ、２２ｂは、いずれも繊維材にて作製されることが好適である。例えば、繊維材を集成したもの、不織布に成形したもの等を用いることができる。各層の透水性の制御については、例えば繊維材の密度を調整することにより行う。後述する図３の製造工程において調整することができる。好適には、繊維材として廃繊維を用いると、原料コストが安価な上に廃繊維のリサイクルに寄与することができる。繊維材は、天然繊維であっても合成繊維であってもよい。
【００１８】
図２（Ａ）の緑化マット２０は、軽量でフレキシブルな素材から形成されるので、図２（Ｂ）の切欠き２４を設ける作業は容易である。切欠き２４の大きさ、位置及び数は、ポット苗の大きさや植物の特性に応じて任意に設定する。
【００１９】
図３（Ａ）は、本発明による緑化マット２０の製造方法の一例を模式的に示した図である。左図に示すように、高透水材層２１は複数（例えば、２０枚〜３０枚程度）の透水性薄膜２１ａ、２１ｂ、．．２１ｉ、２１ｊを上下方向に積層したものである。さらに、その上下両面に低透水材層２２ａ、２２ｂをそれぞれ重ねた状態で圧縮力を印加することにより各層を密着させ、直方体形状に圧縮成型する。
【００２０】
例えば、透水性薄膜２１ａ〜２１ｊとしては繊維材を薄膜状に集成したものを用い、低透水材層２２ａ、２２ｂとしては透水性薄膜２１ａ〜２１ｊよりも厚い不織布を用いる。
【００２１】
別の製造方法としては、先ず高透水材層２１を一定の圧力で圧縮成型した後、両面に低透水材層２２ａ、２２ｂを重ね、再び全体を圧縮成型してもよい。２段階で圧縮成型すると製造コストは高くなるが、それぞれ最適な圧縮成型条件を設定できる。
【００２２】
高透水材層２１の透水性を、低透水材層２２ａ、２２ｂのそれよりも良好とするためには、例えば、高透水材層２１全体の繊維密度が、低透水材層２２ａ、２２ｂの繊維密度よりも低くなるようにする。その他に、透水性の制御は、材料の選択及び設計（繊維材の太さ及び長さ、透水性薄膜の厚さ及び数、高透水材層及び低透水材層の厚さ等）並びに圧縮成型の圧力設定等によっても調整することができる。
【００２３】
図３（Ａ）の右図に示す製造後の緑化マット２０では、高透水材層２１が互いに密着した複数の透水性薄膜により形成され、さらにその上下両面に低透水材層２２ａ、２２ｂが密着し重ねられている。この構造的特徴から、この緑化マット２０に上から水分を供給した場合、上下方向よりもむしろ横方向に水分が移動し易い。低透水材層２２ａ、２２ｂは遮水性というわけではなく、高透水材層２１に比べて透水速度が遅く、ゆっくりと水分が下降していく。上側の低透水材層２２ａを通過して高透水材層２１に入った水分は、下側の低透水材層２２ｂがあるために直ちに下方へ通過していくことができず、高透水材層２１に一時的に停滞する。高透水材層２１では横方向の移動が容易であるので、この停滞している間に高透水材層２１全体に水分が浸透することになる。
【００２４】
図示しないが、この緑化マット２０を複数積み重ねて上から水分を供給したとすると、各緑化マット２０の低透水材層２２ａ、２２ｂにより水分の下降が一時的に停滞し、高透水材層２１において横方向へ広がることを繰り返しつつ、水分が下降していく。この結果、積み重ねられた複数の緑化マット２０全体に水分が均一に行き渡ることとなる。
【００２５】
図３（Ｂ）は、高透水材層２１を形成する透水性薄膜２１ａの別の実施例を示す平面図である。一般に、繊維材を単純に集成した透水性薄膜２１ａでは、膜面内の繊維材の方向はランダムであるが、図３（Ｂ）の透水性薄膜２１ａでは、繊維材をほぼ一方向に配向させた状態で集成している。従って、膜面内で繊維材が同一方向に向いている。これにより、繊維方向への水分の移動が、繊維方向以外の方向へのそれに比べて促進される。図示のように膜面の長手方向に繊維材を配向させる方が、より効率的に膜面全体に水分を行き渡らせることができ、好適である。
【００２６】
図４（Ａ）は、本発明による緑化マット２０の別の実施例を示す展開斜視図である。低透水材層２２ａ、２２ｂの長手方向の端部近傍に、層を貫通する通水孔２３ａ、２３ｂがそれぞれ穿設されている。上側の通水孔２３ａと下側の通水孔２３ｂとは、上下方向において異なる位置に設けられている。図示のように、長手方向の反対側の端部にそれぞれ対称的に設けることが好適である。
【００２７】
図４（Ｂ）は、図４（Ａ）の緑化マット２０を上下方向に４段積み重ねたときの水分の移動の様子を模式的に示した断面図である。図４（Ｂ）においては、互いに隣接する緑化マットの各々の通水孔２３ａ、２３ｂが上下方向において同位置となるべく、緑化マットが積み重ねられている。つまり、各緑化マット２０は、１段毎に通水孔２３ａ、２３ｂの位置が逆になるように互い違いに重ねられている。通水孔２３ａと２３ｂとが重なった部分には、低透水材層２２ａ及び２２ｂが存在しないため、水分が極めて円滑に通過することができる。従って、上方から供給された水は、最上段の緑化マットの上側通水孔２３ａから高透水材層２１内に入り、高透水材層２１内を横方向に移動して反対側の下側通水孔２３ｂから出て行き、次段の緑化マットの上側通水孔２３ａへと下降していく。斯かる水の下降移動の様子を太線で示している。
【００２８】
尚、本発明による緑化マットにおいて、上記のような水分移動が実現されるのは、純粋な水の場合だけでなく、点滴液により栄養分を補給する場合にも同様である。例えば、図１の緑化ユニット１０に収容した緑化マット２０の最上段に、点滴液の容器を挿入しておくと、点滴液が各緑化マット２０に行き渡りつつ、下降していき、全体に供給される。
【００２９】
図５は、図１に示した本発明による緑化ユニット１０の筐体１２の一例を示した図である。図５（Ａ）は、図１の緑化ユニット１０から緑化マット２０とポット苗３０を取り除いた筐体１２を示している。筐体１２の植栽面側はほぼ開口となっているが、緑化マット２０の落下防止用の周囲枠１２ａと、前柵１５が適宜設けられる。尚、筐体の材料は、ステンレス製、プラスチック製、木製等任意であるが、屋外使用における耐久性があり、軽量で加工が容易であることが好ましい。
【００３０】
図５（Ｂ）は、筐体１２を開いた状態を示す。植栽面枠１２ａと上面板１２ｂとが筐体１２の蓋の役割を果たしており、底面板１２ｅと植栽面枠１２ａの接続部分に設けた蝶番部１６により開閉可能である。筐体１２の植栽面枠１２ａ、前柵１５、上面板１２ｂ、側面板１２ｃ、底面板１２ｅ及び取付面板１２ｄにより囲まれる空間が、緑化マット２０のための収容部となる。
【００３１】
図示の例では、取付面板１２ｄには連通孔１４を設けていないが、別の例では植栽面以外の全ての面に連通孔１４を設けてもよい。取付面板１２ｄに連通孔１４があると、ここから外へ出た根系が建造物表面との間に張り巡らされることにより、緑化ユニットと建造物表面との結合強度を高めることになる。
【００３２】
建造物表面の緑化工を施工する場合には、筐体１２をこのように開いた状態で、図２（Ａ）及び（Ｂ）に示した緑化マット２０を適宜積み重ねて収容し、その後、筐体１２を閉じる。閉じた後に、緑化マット２０の切欠きにポット苗を挿入する。その後、取付部１３を用いて緑化ユニットを緑化対象である壁面等へ取付け、施工を完了する。
【００３３】
図６は、本発明の緑化ユニット１０を用いて建造物の外壁面上を緑化した施工例を模式的に示した図である。複数の緑化ユニット１０を縦横に並べて対象とする壁面へ取り付けている。図示の例は、垂直面であるが傾斜面であってもよい。最上部の緑化ユニット１０の上方から水分を供給すると、前述の原理により各緑化ユニット１０の全体に水分を行き渡らせた後、底面板の連通孔から下段の緑化ユニットの上面板の連通孔へと水分が下降していく。こうして全ての緑化ユニット１０に対し、効率的に水分を行き渡らせることができる。
【００３４】
本発明の緑化ユニットは、水分供給効率の観点からは、垂直面及び傾斜面へ設置されることが好適であるが、水平面へもそのまま支障なく適用できることは明らかである。
【００３５】
【発明の効果】
本発明による緑化マットは、複数の透水性薄膜を積層してなる高透水材層と、該高透水材層の上下両面にそれぞれ重ねられた低透水材層とを有するので、透水性の差により高透水材層に一時的に水分が停滞して横方向に移動拡散し、緑化マット全体に水分を行き渡らせることができる。
【００３６】
好適には、高透水材層の透水性薄膜が繊維材にて形成されることにより、透水性を調整することができる。
【００３７】
高透水材層の透水性薄膜の膜面内で繊維材が一方向に配向させることにより、水分移動方向及び速度を制御することができる。
【００３８】
繊維材が廃繊維であることにより、材料を安定に得られ、材料コストを低減し、廃繊維の有効利用を図ることができる。
【００３９】
低透水材層の各々に通水孔が設けられ、一方の該通水孔と他方の該通水孔が上下方向において異なる位置に設けられることにより、高透水材層における水分移動方向及び移動速度を制御することができる。
【００４０】
本発明による、建造物表面の緑化のために該建造物表面上に設置される緑化ユニットは、上下方向に複数積み重ねた緑化マットと、複数積み重ねた緑化マットを収容しかつ植栽面側に開口をもつ収容部並びに前記建造物表面への取付部を具備する筐体とを有する極めて簡易な構造であり、製造コストを低減することができる。また、複数積み重ねた緑化マットの水分移動効率も良好である。
【００４１】
緑化ユニットの筐体の少なくとも上面板、側面板及び底面板に複数の連通孔を穿設したことにより隣接する緑化ユニット同士の間で、植物根系が互いに伸長することができ、建造物表面に設置された緑化ユニット全体が安定化する。
【００４２】
本発明による建造物表面の緑化工法においては、緑化マットを形成し、緑化マットにポット苗挿入用の切欠きを設け、緑化マットの収容部と建造物表面への取付部とを具備する筐体に緑化マットを複数積み重ねて収容し、緑化マットの切欠きへポット苗を挿入し、取付部により筐体を建造物表面へ取り付けるので、軽量で取扱易い構成要素を用いて容易にかつ効率的に作業することができ、施工コストが低減する。
【図面の簡単な説明】
【図１】本発明による緑化ユニット１０の外観斜視図である。
【図２】本発明による緑化マット２０の外観斜視図を示す。（Ａ）は切欠きを設けていないもの、（Ｂ）は切欠きを設けたものを示す。
【図３】（Ａ）は、本発明による緑化マット２０の製造方法の一例を模式的に示した図である。（Ｂ）は、高透水材層２１を形成する透水性薄膜２１ａの別の実施例を示す平面図である。
【図４】（Ａ）は、本発明による緑化マット２０の別の実施例を示す展開斜視図である。（Ｂ）は、（Ａ）の緑化マット２０を複数積み重ねたときの水分の移動の様子を模式的に示した図である。
【図５】（Ａ）は、図１に示した本発明による緑化ユニットの筐体１２の一例を示した図である。（Ｂ）は、筐体１２を開いた状態を示す。
【図６】本発明の緑化ユニット１０を用いて建造物の外壁面上を緑化した施工例を模式的に示した図である。
【符号の説明】
１０  緑化ユニット
１２  筐体
１２ａ  周囲枠
１２ｂ  上面板
１２ｃ  側面板
１２ｄ  取付面板
１２ｅ  底面板
１３  取付部
１４  連通孔
１５  前柵
１６  蝶番部
２０  緑化マット
２１  高透水材層
２１ａ、２１ｂ、．．２１ｉ、２１ｊ  透水性薄膜
２２ａ、２２ｂ  低透水材層
２３ａ、２３ｂ  通水孔
２４  切欠き部
３０  ポット苗
５０  建造物表面
【図１】
2004283070.tif 000003
【図２】
2004283070.tif 000004
【図３】
2004283070.tif 000005
【図４】
2004283070.tif 000006
【図５】
2004283070.tif 000007
【図６】
2004283070.tif 000008